(57)【要約】【課題】生活の中の様々な場面で、ユーザーが好みの音楽を聴いて楽しむことができるようにする。【解決手段】音楽コンテンツ配信システムにより音楽コンテンツを配信し、端末により上記音楽コンテンツ配信システムに対して音楽コンテンツの配信を要求し、上記要求された上記音楽コンテンツを上記端末にダウンロードし、上記端末にダウンロードした音楽コンテンツを、上記音楽コンテンツ配信システムから配信された音楽コンテンツをダウンロード可能な音源システムを備えた音楽コンテンツ配信対象物へ転送し、上記転送された音楽コンテンツを上記音楽コンテンツ配信対象物にダウンロードするようにした。【選択図】        図１
2005149141.tif 000002
【特許請求の範囲】
【請求項１】
音楽コンテンツ配信システムにより音楽コンテンツを配信し、
端末により前記音楽コンテンツ配信システムに対して音楽コンテンツの配信を要求し、
前記要求された前記音楽コンテンツを前記端末にダウンロードし、
前記端末にダウンロードした音楽コンテンツを、前記音楽コンテンツ配信システムから配信された音楽コンテンツをダウンロード可能な音源システムを備えた音楽コンテンツ配信対象物へ転送し、
前記転送された音楽コンテンツを前記音楽コンテンツ配信対象物にダウンロードする
ことを特徴とする音楽コンテンツ配信方法。
【請求項２】
音楽コンテンツ配信システムにより音楽コンテンツを配信し、
端末により前記音楽コンテンツ配信システムに対して音楽コンテンツの配信を要求し、
前記端末により要求された音楽コンテンツを、前記音楽コンテンツ配信システムから配信された音楽コンテンツをダウンロード可能な音源システムを備えた音楽コンテンツ配信対象物にダウンロードする
ことを特徴とする音楽コンテンツ配信方法。
【請求項３】
音楽コンテンツを配信する音楽コンテンツ配信システムと、
前記音楽コンテンツ配信システムに対して音楽コンテンツの配信を要求する端末と、
前記音楽コンテンツ配信システムから配信された音楽コンテンツをダウンロード可能な音源システムを備えた音楽コンテンツ配信対象物と
を有し、
前記端末は前記音楽コンテンツ配信システムから配信された音楽コンテンツをダウンロードするとともに、前記ダウンロードした音楽コンテンツを前記音楽コンテンツ配信対象物へ転送し、
前記音楽コンテンツ配信対象物は、前記転送された音楽コンテンツをダウンロードする
ことを特徴とする音楽コンテンツ配信システム。
【請求項４】
音楽コンテンツを配信する音楽コンテンツ配信システムと、
前記音楽コンテンツ配信システムに対して音楽コンテンツの配信を要求する端末と、
前記音楽コンテンツ配信システムから配信された音楽コンテンツをダウンロード可能な音源システムを備えた音楽コンテンツ配信対象物と
を有し、
前記音楽コンテンツ配信対象物は、前記端末により要求された音楽コンテンツを音楽コンテンツ配信システムからダウンロードする
ことを特徴とする音楽コンテンツ配信システム。
【請求項５】
音楽コンテンツを配信する音楽コンテンツ配信事業者により、端末から要求された音楽コンテンツを配信し、
音楽コンテンツ配信対象物製造メーカーにより、前記音楽コンテンツ配信事業者から配信された音楽コンテンツをダウンロード可能な音源システムを備えた音楽コンテンツ配信対象物を提供し、
前記音楽コンテンツ配信事業者により、前記音楽コンテンツ配信対象物が前記端末から要求された音楽コンテンツをダウンロードすることに応じて音楽コンテンツ利用料金を徴収するとともに、前記音楽コンテンツ利用料金の一部を前記音楽コンテンツ配信対象物製造メーカーに支払う
ことを特徴とする音楽コンテンツ配信方法。
【請求項６】
音楽コンテンツを配信する音楽コンテンツ配信事業者により、端末から要求された音楽コンテンツを配信し、
音源システム提供事業者により、前記音楽コンテンツ配信事業者から配信された音楽コンテンツをダウンロード可能な音源システムを提供し、
音楽コンテンツ配信対象物製造メーカーにより、前記音楽音源システム提供事業者から提供された音源システムを備えた音楽コンテンツ配信対象物を提供し、
前記音楽コンテンツ配信事業者により、前記音楽コンテンツ配信対象物が前記端末から要求された音楽コンテンツをダウンロードすることに応じて音楽コンテンツ利用料金を徴収するとともに、前記音楽コンテンツ利用料金の一部を前記音源システム提供事業者に支払い、
前記音源システム提供事業者により、前記音楽コンテンツ配信事業者から支払われた前記音楽コンテンツ利用料金のさらに一部を音楽コンテンツ配信対象物製造メーカーに支払う
ことを特徴とする音楽コンテンツ配信方法。
【請求項７】
請求項１または請求項２のいずれか１項に記載の音楽コンテンツ配信方法をコンピューターに実行させるためのプログラム。
【請求項８】
請求項３または請求項４のいずれか１項に記載の音楽コンテンツ配信システムとしてコンピューターを機能させるためのプログラム。
【請求項９】
請求項７または請求項８のいずれか１項に記載のプログラムを記録したコンピューター読み取り可能な記録媒体。
【発明の詳細な説明】
【技術分野】
【０００１】
本発明は、音楽コンテンツ配信方法、音楽コンテンツ配信システム、プログラムおよびコンピューター読み取り可能な記録媒体に関し、さらに詳細には、各種のメロディやジングルあるいは音声などのような音楽コンテンツを配信する際に用いて好適な音楽コンテンツ配信方法、音楽コンテンツ配信システム、プログラムおよびコンピューター読み取り可能な記録媒体に関する。
【背景技術】
【０００２】
近年、日本を含め世界各国において、情報技術（ＩＴ：Ｉｎｆｏｒｍａｔｉｏｎ  Ｔｅｃｈｎｏｌｏｇｙ）や通信技術の発展に伴い、インターネットやローカルエリアネットワーク（ＬＡＮ：Ｌｏｃａｌ  Ａｒｅａ  Ｎｅｔｗｏｒｋ）などの情報網が大幅に整備されてきている。
【０００３】
一方、パーソナルハンディフォンシステム（ＰＨＳ：Ｐｅｒｓｏｎａｌ  Ｈａｎｄｙｐｈｏｎｅ  Ｓｙｓｔｅｍ）や携帯電話システムなどの移動体通信システムも、日本を含め世界各国において急速に普及してきており、この移動体通信システムにおいては、情報技術の発展と相俟って、各種のサービスの提供が行われている。
【０００４】
こうしたサービスの一つとして、ＰＨＳシステムや携帯電話システムなどの移動体通信システムの端末、即ち、ＰＨＳ通話機や携帯電話機を発呼する際に、従来より知られた単音の発呼音により発呼を通知するのではなく、発呼音として各種のメロディやジングルなどのような音楽コンテンツを用いる、所謂、着信メロディサービスが知られている。
【０００５】
この着信メロディサービスにおいては、基地局を介して発呼音となる各種の音楽コンテンツをＰＨＳ通話機や携帯電話機などの端末にダウンロードすることができるようになされている。
【０００６】
ところで、家庭内を鑑みると、家庭内には電子レンジやエアコンあるいは風呂の自動湯沸かし器などのように、作動に伴い音が発生するものがある。
【０００７】
しかしながら、こうした家庭内にあるような各種の製品は、作動に応じて予め内蔵された単一の音のみを発生するものであった。
【０００８】
然るに、最近においては、上記した着信メロディサービスもそうであるが、若年層を中心として、ライフスタイルの中に自分の好みの音楽を取り込みたいという欲求がある。こうした欲求は、例えば、部屋の中にあってはステレオセットやカセットデッキを用いて音楽を聴き、また、通勤や通学途中おいては携帯用ＣＤプレーヤーや携帯用ＭＤプレーヤーを利用して音楽を聴くというような行動様式に表れている。
【０００９】
即ち、こうした若年層を中心とした世代においては、生活の中の様々な場面、例えば、電子レンジを使って食物を加熱したり、エアコンを作動させて室内の温度を変えたり、風呂の自動湯沸かし器により風呂の湯を加温したりする際などにおいて、各自の所望の音楽を聴いて楽しみたいという潜在的な強い要望があった。
【００１０】
なお、本願出願人が特許出願のときに知っている先行技術は、文献公知発明に係る発明ではないため、記載すべき先行技術文献情報はない。
【発明の開示】
【発明が解決しようとする課題】
【００１１】
本発明は、上記したような従来からの要望に鑑みてなされたものであり、その目的とするところは、生活の中の様々な場面で所望の音楽を聴いて楽しむことができるようにした音楽コンテンツ配信方法、音楽コンテンツ配信システム、プログラムおよびコンピューター読み取り可能な記録媒体を提供しようとするものである。
【課題を解決するための手段】
【００１２】
上記目的を達成するために、本発明のうち請求項１に記載の発明は、音楽コンテンツ配信システムにより音楽コンテンツを配信し、端末により上記音楽コンテンツ配信システムに対して音楽コンテンツの配信を要求し、上記要求された上記音楽コンテンツを上記端末にダウンロードし、上記端末にダウンロードした音楽コンテンツを、上記音楽コンテンツ配信システムから配信された音楽コンテンツをダウンロード可能な音源システムを備えた音楽コンテンツ配信対象物へ転送し、上記転送された音楽コンテンツを上記音楽コンテンツ配信対象物にダウンロードするようにしたものである。
【００１３】
また、本発明のうち請求項２に記載の発明は、音楽コンテンツ配信システムにより音楽コンテンツを配信し、端末により上記音楽コンテンツ配信システムに対して音楽コンテンツの配信を要求し、上記端末により要求された音楽コンテンツを、上記音楽コンテンツ配信システムから配信された音楽コンテンツをダウンロード可能な音源システムを備えた音楽コンテンツ配信対象物にダウンロードするようにしたものである。
【００１４】
また、本発明のうち請求項３に記載の発明は、音楽コンテンツを配信する音楽コンテンツ配信システムと、上記音楽コンテンツ配信システムに対して音楽コンテンツの配信を要求する端末と、上記音楽コンテンツ配信システムから配信された音楽コンテンツをダウンロード可能な音源システムを備えた音楽コンテンツ配信対象物とを有し、上記端末は上記音楽コンテンツ配信システムから配信された音楽コンテンツをダウンロードするとともに、上記ダウンロードした音楽コンテンツを上記音楽コンテンツ配信対象物へ転送し、上記音楽コンテンツ配信対象物は、上記転送された音楽コンテンツをダウンロードするようにしたものである。
【００１５】
また、本発明のうち請求項４に記載の発明は、音楽コンテンツを配信する音楽コンテンツ配信システムと、上記音楽コンテンツ配信システムに対して音楽コンテンツの配信を要求する端末と、上記音楽コンテンツ配信システムから配信された音楽コンテンツをダウンロード可能な音源システムを備えた音楽コンテンツ配信対象物とを有し、上記音楽コンテンツ配信対象物は、上記端末により要求された音楽コンテンツを音楽コンテンツ配信システムからダウンロードするようにしたものである。
【００１６】
また、本発明のうち請求項５に記載の発明は、音楽コンテンツを配信する音楽コンテンツ配信事業者により、端末から要求された音楽コンテンツを配信し、音楽コンテンツ配信対象物製造メーカーにより、上記音楽コンテンツ配信事業者から配信された音楽コンテンツをダウンロード可能な音源システムを備えた音楽コンテンツ配信対象物を提供し、上記音楽コンテンツ配信事業者により、上記音楽コンテンツ配信対象物が上記端末から要求された音楽コンテンツをダウンロードすることに応じて音楽コンテンツ利用料金を徴収するとともに、上記音楽コンテンツ利用料金の一部を上記音楽コンテンツ配信対象物製造メーカーに支払うようにしたものである。
【００１７】
また、本発明のうち請求項６に記載の発明は、音楽コンテンツを配信する音楽コンテンツ配信事業者により、端末から要求された音楽コンテンツを配信し、音源システム提供事業者により、上記音楽コンテンツ配信事業者から配信された音楽コンテンツをダウンロード可能な音源システムを提供し、音楽コンテンツ配信対象物製造メーカーにより、上記音楽音源システム提供事業者から提供された音源システムを備えた音楽コンテンツ配信対象物を提供し、上記音楽コンテンツ配信事業者により、上記音楽コンテンツ配信対象物が上記端末から要求された音楽コンテンツをダウンロードすることに応じて音楽コンテンツ利用料金を徴収するとともに、上記音楽コンテンツ利用料金の一部を上記音源システム提供事業者に支払い、上記音源システム提供事業者により、上記音楽コンテンツ配信事業者から支払われた上記音楽コンテンツ利用料金のさらに一部を音楽コンテンツ配信対象物製造メーカーに支払うようにしたものである。
【００１８】
また、本発明のうち請求項７に記載の発明は、本発明のうち請求項１または請求項２のいずれか１項に記載の発明をコンピューターに実行させるためのプログラムである。
【００１９】
また、本発明のうち請求項８に記載の発明は、本発明のうち請求項３または請求項４のいずれか１項に記載の発明としてコンピューターを機能させるためのプログラムである。
【００２０】
また、本発明のうち請求項９に記載の発明は、本発明のうち請求項７または請求項８のいずれか１項に記載の発明を記録したコンピューター読み取り可能な記録媒体である。
【００２１】
従って、本発明のうち請求項１乃至請求項９に記載の発明によれば、音楽コンテンツ配信対象物として電子レンジ、冷蔵庫などの家庭用電気製品や玩具あるいは書籍などを用いることがき、これら音楽コンテンツ配信対象物たる電子レンジ、冷蔵庫などの家庭用電気製品や玩具あるいは書籍などに対して音楽コンテンツを配信することができるので、電子レンジで調理する際に電子レンジから所望の音楽を流したり、冷蔵庫の扉を開閉する際に所望の音楽を流したり、玩具で遊んでいる際に所望の音楽を流したり、書籍の表紙を開ける際に所望の音楽を流したりすることができるようになり、ユーザーは生活の中の様々な場面で好みの音楽を聴いて楽しむことができるようになる。
【００２２】
また、本発明のうち請求項５乃至請求項６に記載の発明によれば、音楽コンテンツ配信対象物製造メーカーは、単に音楽コンテンツ配信対象物をユーザーに販売した時に得られる一時的な利益のみではなく、ユーザーが音楽コンテンツ配信対象物を利用する毎に、音楽コンテンツ利用料金の一部の支払いを継続的に受けることができる。
【発明の効果】
【００２３】
本発明は、以上説明したように構成されているので、生活の中の様々な場面で所望の音楽を聴いて楽しむことができるという優れた効果を奏する。
【発明を実施するための最良の形態】
【００２４】
以下、添付の図面を参照しながら、本発明による音楽コンテンツ配信方法、音楽コンテンツ配信システム、プログラムおよびコンピューター読み取り可能な記録媒体の実施の形態の一例を詳細に説明する。
【００２５】
図１には、本発明による音楽コンテンツ配信システムの概念図が示されており、この本発明による音楽コンテンツ配信システムにおいては、音楽コンテンツを配信する音楽コンテンツ配信事業者が管理する音楽コンテンツ配信事業者システム１００と、携帯電話機における携帯キャリアやクレジット会社などのような課金事業者が管理する課金事業者システム１０２とが、インターネット網１０３により接続されている。なお、これら音楽コンテンツ配信事業者システム１００ならびに課金事業者システム１０２は、物理的にはコンピューターにより構成される。
【００２６】
また、音楽コンテンツ配信事業者システム１００から音楽コンテンツを配信される音楽コンテンツ配信対象物１０４としては、例えば、ユーザーが利用する電子レンジ、冷蔵庫、エアコンならびにテレビなどの家庭用電化製品や、人形、ぬいぐるみならびに幼児用ベッド取付型メリーゴーランドなどの玩具や、絵本、雑誌などの書籍などがある。
【００２７】
これら音楽コンテンツ配信対象物１０４には、例えば、図２に示すような音源システム２００が組み込まれている。
【００２８】
この音源システム２００は、中央処理装置（ＣＰＵ）２０２により全体の動作を制御するようになされており、ＣＰＵ２０２にはバス２０４を介して、ＣＰＵ２０２の制御のためのプログラムや各種のアプリケーションプログラムなどを記憶したリードオンリメモリ（ＲＯＭ）２０６と、ＣＰＵ２０２のワーキングエリアとして用いられる記憶領域や通信インターフェース２１０（後述する。）により受信された音楽コンテンツを記憶する領域などを備えたランダムアクセスメモリ（ＲＡＭ）２０８と、音楽コンテンツ配信事業者システム１００から配信された音楽コンテンツを受信するためにインターネット網１０３に接続された携帯電話機３００との間で赤外線通信を行ったり、あるいは、音楽コンテンツ配信事業者システム１００から配信された音楽コンテンツを受信するためにインターネット網１０３に接続された家庭内ＬＡＮを介して通信を行ったりするための通信インターフェース２１０と、通信インターフェース２１０により受信されてＲＡＭ２０８に記憶された楽音コンテンツに基づいて楽音信号を生成する音源回路２１２と、音源回路２１２により生成された楽音信号を聴取し得る楽音として空間に放音するためのアンプやスピーカーよりなるサウンドシステム２１４とが接続されている。
【００２９】
なお、上記した音源システム２００は、例えば、１チップよりなる音源ボードとして構成することができる。
【００３０】
また、音源システム２００を搭載する家庭用電化製品などの音楽コンテンツ配信対象物１０４が、音源システム２００を構成する上記した各構成要素の何れかあるいは全てと同様な構成を備えている場合には、音楽コンテンツ配信対象物１０４の構成を利用して音源システム２００を構築するようにしてもよい。
【００３１】
次に、図３には、本発明による音楽コンテンツ配信システムの具体的な構成が示されており、音楽コンテンツ配信事業者システム１００は、ユーザーデータベース（ユーザーＤＢ）１００ａとウェブサーバー（Ｗｅｂサーバー）１００ｂとを備えている。
【００３２】
ここで、ユーザーＤＢ１００ａは、本発明による音楽コンテンツ配信システムの利用者、即ち、ユーザーを管理するための情報を記憶しておくデータベースである。こうしたユーザーを管理するための情報としては、例えば、利用者状況管理情報、個人情報管理情報、課金決済管理情報などがある。
【００３３】
また、Ｗｅｂサーバー１００ｂは、各種の音楽コンテンツを記憶していて、携帯電話機３００からの要求に応じて、要求された音楽コンテンツを配信するものである。音楽コンテンツ配信対象物１０４への音楽コンテンツの配信の手法としては、例えば、Ｗｅｂサーバー１００ｂから配信された音楽コンテンツを当該音楽コンテンツを要求した携帯電話機３００に一旦ダウンロードし、携帯電話機３００の赤外線通信を利用したデータ転送により、当該ダウンロードした音楽コンテンツを音楽コンテンツ配信対象物１０４に配信するという手法がある。
【００３４】
また、上記した手法とは別に、携帯電話機３００からの要求に応じてＷｅｂサーバー１００ｂから配信された音楽コンテンツを、家庭内ＬＡＮを利用して音楽コンテンツ配信対象物１０４に携帯電話機３００を介することなく直接的に配信するようにしてもよい。
【００３５】
なお、音楽コンテンツ配信事業者は、Ｗｅｂサーバー１００ｂにより配信する音楽コンテンツの著作権に関する各種の処理や、音源システム２００の提供に関する各種の処理なども行う。
【００３６】
図４乃至図５には、本発明による音楽コンテンツ配信システムのさらに詳細な構成が示されている。ここで、図４には、本発明による音楽コンテンツ配信システムにおける音楽コンテンツの配信ならびに音源システム２００の提供の処理について示されており、一方、図５には本発明による音楽コンテンツ配信システムにおいて発生する金銭の処理について示されている。
【００３７】
まず、図４を参照しながら、本発明による音楽コンテンツ配信システムにおける音楽コンテンツの配信ならびに音源システム２００の提供の処理について説明すると、音楽コンテンツ配信事業者は、音源システムやフォーマットの提供を行うとともに、音楽コンテンツの配信、音楽コンテンツの管理、ユーザーの管理ならびに音楽著作物申請報告処理の代行などを行うものであり、音源システム製造メーカーに対して、音源システム２００の生産を依頼する。当該依頼を受けた音源システム製造メーカーは、当該依頼に応じて生産した音源システム２００を音楽コンテンツ配信事業者に納品する。
【００３８】
また、音楽コンテンツ配信事業者は、音源システム製造メーカーから納品された音源システム２００を、音楽コンテンツ配信対象物１０４たる各種製品を製造する家電メーカーや玩具メーカーなどの音楽コンテンツ配信対象物製造メーカーに提供するとともに、音源システム２００の利用に関するライセンスを音楽コンテンツ配信対象物製造メーカーに供与する。
【００３９】
さらに、音楽コンテンツ配信事業者は、音楽著作権の管理団体として音楽著作物の権利処理を行う日本音楽著作権協会（ＪＡＳＲＡＣ）などの著作権管理団体に対して、本発明による音楽コンテンツ配信システムにおけるサービスとしての音楽著作物の利用の許可申請を行うとともに、音楽コンテンツを配信した際における音楽著作物の利用の報告を行う（なお、この実施の形態においては、理解を容易にするために、著作権管理団体として日本音楽著作権協会（ＪＡＳＲＡＣ）を例示して説明する。）。
【００４０】
なお、ＪＡＳＲＡＣは、本発明による音楽コンテンツ配信システムにおけるサービスとしての音楽著作物の利用を承認し、当該サービスに係る音楽著作物の利用の報告を受ける。
【００４１】
一方、音楽コンテンツ配信対象物製造メーカーは、音源システム２００を組み込んだ製品たる音楽コンテンツ配信対象物１０４を製造し、音楽コンテンツ配信対象物１０４をユーザーへ提供する。即ち、音楽コンテンツ配信対象物製造メーカーは、音楽コンテンツ配信対象物１０４の製造ならびに流通を行い、販売や宣伝告知などの活動を行う。
【００４２】
そして、音楽コンテンツ配信事業者は、上記した手法により、音楽コンテンツ配信事業者システム１００により音楽コンテンツ配信対象物１０４に音楽コンテンツを配信する。
【００４３】
音楽コンテンツ配信事業者システム１００により音楽コンテンツ配信対象物１０４に音楽コンテンツが配信されると、課金事業者システム１０２は音楽コンテンツ配信対象物１０４に対して課金処理を行う。
【００４４】
なお、課金事業者は、課金事業者システム１０２による課金処理の他に、一部には宣伝告知などの活動を行う。
【００４５】
次に、図５を参照しながら、本発明による音楽コンテンツ配信システムにおいて発生する金銭の処理について説明すると、音楽コンテンツ配信事業者システム１００は、課金事業者システム１０２を介して、音楽コンテンツ配信対象物１０４のユーザーから音楽コンテンツの利用料金を徴収する。この際に、課金事業者システム１０２は、上記音楽コンテンツの利用料金から課金代行手数料を徴収する。
【００４６】
一方、音楽コンテンツ配信事業者は、音源システム製造メーカーに対して、音源システム２００の購入代金を支払うとともに、ＪＡＳＲＡＣに対して音楽著作物の利用に関する著作権使用料を支払う。また、音楽コンテンツ配信事業者は、音楽コンテンツ配信対象物製造メーカーに対して、音楽コンテンツ配信対象物１０４のユーザーから徴収した音楽コンテンツの利用料金の一部を、音楽コンテンツロイヤリティとして支払う。
【００４７】
音楽コンテンツ配信対象物製造メーカーは、音楽コンテンツ配信事業者に対して、音源システム２００の購入代金および音源システム２００の利用に関するライセンス料を支払う。
【００４８】
次に、図６を参照しながら、本発明による音楽コンテンツ配信システムにおける音楽コンテンツの配信ならびに音源システム２００の提供の処理の他の例について説明する。
【００４９】
この図６に示す手法は、図４に示す音楽コンテンツ配信事業者の業務から音源システムならびにフォーマットの提供の業務を取り出して、当該音源システムならびにフォーマットの提供の業務を取り扱う音源システム提供事業者を別途設けるとともに、音楽コンテンツ配信事業者は音楽コンテンツ配信事業者システム４００を備え、図４に示す音楽コンテンツ配信事業者の業務の中で音源システムならびにフォーマットの提供の業務を除く業務を全て行うようにした点において、図４に示す手法と異なる。この図６に示す手法においては、音源システム提供事業者から音楽コンテンツ配信事業者に対して、音楽コンテンツ配信事業者が音源システム２００に対して音楽コンテンツを配信する際に必要な仕様やツールの提供がなされる。
【００５０】
また、図７には図６に示す手法における金銭の処理の第１の例が示されており、図８には図６に示す手法における金銭の処理の第２の例が示されている。
【００５１】
図７に示す第１の例においては、音楽コンテンツ配信対象物製造メーカーに対して、音楽コンテンツ配信事業者から直接的に音楽コンテンツロイヤリティを支払うようになされている。
【００５２】
一方、図８に示す第２の例においては、音楽コンテンツ配信対象物製造メーカーに音楽コンテンツロイヤリティを支払う際に、音楽コンテンツ配信事業者から音源システム提供事業者に対して音楽コンテンツロイヤリティが支払われ、音源システム提供事業者が音楽コンテンツ配信事業者から支払いを受けた音楽コンテンツロイヤリティの一部を音楽コンテンツ配信対象物製造メーカーに支払うようになされている。
【００５３】
なお、図９乃至図１０には、音楽コンテンツ配信事業者システム１００，４００から携帯電話機３００へ音楽コンテンツをダウンロードする際の処理の流れが示されており、図１１乃至図１２には、携帯電話機３００へダウンロードされた音楽コンテンツを音楽コンテンツ配信対象物１０４（図１１に示す例においては、音楽コンテンツ配信対象物１０４は「玩具」である。）へ転送する際の処理の流れが示されている。
【００５４】
従って、本発明による音楽コンテンツ配信システムによれば、音楽コンテンツ配信対象物１０４が電子レンジである場合には、例えば、電子レンジが作動している間は、ユーザーが選択した所望の第１の音楽コンテンツ（例えば、最新ヒット曲など。）を電子レンジから放音させることができ、また、電子レンジの作動が停止した際にも、「チン」という無味乾燥な音に代えてユーザーが選択した所望の第２の音楽コンテンツ（例えば、懐メロなど。）を電子レンジから放音させることができる。
【００５５】
また、音楽コンテンツ配信対象物１０４がインターフォンである場合には、例えば、インターフォンの呼び出し音をユーザーが選択した所望の音楽コンテンツ（例えば、ユーザーが好きなタレントの声など。）に適宜に変更することができる。
【００５６】
さらに、音楽コンテンツ配信対象物１０４が風呂の自動湯沸かし器である場合には、例えば、風呂が沸いたときにユーザーが選択した所望の音楽コンテンツ（例えば、各種のジングルなどの中から選択したユーザーの好みの音。）を自動湯沸かし器から放音させることができる。
【００５７】
さらにまた、音楽コンテンツ配信対象物１０４がエアコンである場合には、例えば、温度設定に応じてユーザーが選択した所望の音楽コンテンツ（例えば、冬の季節で温度設定が２８度の場合には気持ちも暖まるように夏向きのラテンメロディなど。）をエアコンから放音させることができる。
【００５８】
また、音楽コンテンツ配信対象物１０４が目覚まし時計である場合には、例えば、目覚まし時間の設定に応じて目覚まし時計からユーザーが選択した所望の音楽コンテンツ（例えば、目覚まし時間の設定が朝早い時間の場合にはユーザーが好きなタレントの声など。）を目覚まし時計から放音させることができる。
【００５９】
さらに、音楽コンテンツ配信対象物１０４が玩具である場合には、例えば、ユーザーが玩具に対して複数種類の音楽コンテンツを設定しておくと、ユーザーが気分に応じて選択した所望の音楽コンテンツを玩具から放音させることができる。
【００６０】
さらにまた、音楽コンテンツ配信対象物１０４が絵本である場合には、例えば、ユーザーが絵本の内容に合わせて設定した所望の音楽コンテンツを、絵本のページを開くと同時に放音させることができる。
【００６１】
なお、上記した実施の形態は、以下の（１）乃至（３）に説明するように適宜に変形してもよい。
【００６２】
（１）上記した実施の形態においては、携帯電話機３００を介して音楽コンテンツを音楽コンテンツ配信対象物１０４にダウンロードする場合を中心に説明したが、上記においても説明したように、携帯電話機３００を介することなく家庭内ＬＡＮを利用して、音楽コンテンツを音楽コンテンツ配信対象物１０４にダウンロードするようにしてもよいことは勿論である。また、携帯電話機３００を介して音楽コンテンツを音楽コンテンツ配信対象物１０４にダウンロードする際に、赤外線通信を用いてデータの転送を行うようにしたが、これに限られるものではないことは勿論であり、携帯電話機３００と音楽コンテンツ配信対象物１０４とケーブルにより接続してデータ転送を行ってもよい。
【００６３】
（２）上記した実施の形態においては、説明ならびに図示を簡略化するために、音楽コンテンツ配信事業者、音源システム提供事業者、課金事業者、音源システム製造メーカーならびに音楽コンテンツ配信対象物製造メーカーについては、それぞれが１社により構成される場合を示したが、これに限られるものではないことは勿論である。即ち、音楽コンテンツ配信事業者、音源システム提供事業者、課金事業者、音源システム製造メーカーならびに音楽コンテンツ配信対象物製造メーカーについては、１社により構成するようにしてもよいし、また、それらのうちの一部または全部を適宜の数の複数社により構成するようにしてもよい。なお、音楽コンテンツ配信事業者、音源システム提供事業者、課金事業者、音源システム製造メーカーならびに音楽コンテンツ配信対象物製造メーカーの一部あるいは全部を複数社により構成する場合には、各社が役割分担（例えば、製造と販売との役割分担や、課金代行処理と宣伝告知との役割分担など。）するようにしてもよい。
【００６４】
（３）上記した各実施の形態ならびに上記（１）乃至（２）に示す変形例は、それぞれ適宜に組み合わせるようにしてもよい。
【産業上の利用可能性】
【００６５】
本発明は、各種のメロディやジングルあるいは音声などのような音楽コンテンツを家庭用電化製品や玩具あるいは書籍などを利用して聴取することができるようになるので、潜在的に大きな需要がある。
【図面の簡単な説明】
【００６６】
【図１】本発明による音楽コンテンツ配信システムの概念図である。
【図２】音楽コンテンツ配信対象物に組み込まれる音源システムのブロック構成図である。
【図３】本発明による音楽コンテンツ配信システムの具体的な構成を示す説明図である。
【図４】本発明による音楽コンテンツ配信システムにおける音楽コンテンツの配信ならびに音源システムの提供の処理について示す説明図である。
【図５】本発明による音楽コンテンツ配信システムにおいて発生する金銭の処理について示す説明図である。
【図６】本発明による音楽コンテンツ配信システムにおける音楽コンテンツの配信ならびに音源システムの提供の処理の他の例について示す説明図である。
【図７】本発明による音楽コンテンツ配信システムにおいて発生する金銭の処理の他の例（第１の例）について示す説明図である。
【図８】本発明による音楽コンテンツ配信システムにおいて発生する金銭の処理の他の例（第２の例）について示す説明図である。
【図９】音楽コンテンツ配信事業者システムから携帯電話機へ音楽コンテンツをダウンロードする際の処理を示す説明図である。
【図１０】音楽コンテンツ配信事業者システムから携帯電話機へ音楽コンテンツをダウンロードする際の処理を示す説明図である。
【図１１】携帯電話機へダウンロードされた音楽コンテンツを音楽コンテンツ配信対象物へ転送する際の処理を示す説明図である。
【図１２】携帯電話機へダウンロードされた音楽コンテンツを音楽コンテンツ配信対象物へ転送する際の処理を示す説明図である。
【符号の説明】
【００６７】
１００      音楽コンテンツ配信事業者システム
１００ａ    ユーザーデータベース（ユーザーＤＢ）
１００ｂ    ウェブサーバー（Ｗｅｂサーバー）
１０２      課金事業者システム
１０３      インターネット網
１０４      音楽コンテンツ配信対象物
２００      音源システム
２０２      中央処理装置（ＣＰＵ）
２０４      バス
２０６      リードオンリメモリ（ＲＯＭ）
２０８      ランダムアクセスメモリ（ＲＡＭ）
２１０      通信インターフェース
２１２      音源回路
２１４      サウンドシステム
３００      携帯電話機
４００      音楽コンテンツ配信事業者システム
【図１】
2005149141.tif 000003
【図２】
2005149141.tif 000004
【図３】
2005149141.tif 000005
【図４】
2005149141.tif 000006
【図５】
2005149141.tif 000007
【図６】
2005149141.tif 000008
【図７】
2005149141.tif 000009
【図８】
2005149141.tif 000010
【図９】
2005149141.tif 000011
【図１０】
2005149141.tif 000012
【図１１】
2005149141.tif 000013
【図１２】
2005149141.tif 000014